(57)【特許請求の範囲】
【請求項１】
回線終端装置に接続され、反転極性検出回路と、発信回路と、該反転極性検出回路及び該発信回路を制御するレイヤ１制御部及びレイヤ２制御部を備えた網終端装置において、
加入者線路に流れる正極性の直流電流を検出する正極性電流検出回路と、
反転極性の電流を流す直流終端抵抗と、
前記直流終端抵抗の接続または切断を行う切替回路と、
前記正極性電流検出回路の検出結果に基づき前記切替回路を制御する極性変動判定部とを備え、
前記極性変動判定部は、判定結果に基づいて該直流終端抵抗を前記切替回路によって接続あるいは切断するとともに、該判定結果に基づいて、さらに前記正極性電流検出回路に直列接続された前記発信回路の抵抗を切断することを特徴とする網終端装置。
【請求項２】
回線終端装置に接続され、反転極性検出回路と、発信回路と、該反転極性検出回路及び該発信回路を制御するレイヤ１制御部及びレイヤ２制御部を備えた網終端装置において、
加入者線路に流れる正極性の直流電流を検出する正極性電流検出回路と、
反転極性の電流を流す直流終端抵抗と、
前記直流終端抵抗の接続または切断を行う切替回路と、
前記正極性電流検出回路の検出結果に基づき前記切替回路を制御する極性変動判定部と、
加入者線路に流れる反転極性の直流電流を検出する反転極性電流検出回路とを備え、
前記極性変動判定部は、前記反転極性電流検出回路の検出結果及び前記レイヤ２制御部からの発信要求信号に基づき前記正極性電流検出回路に直列接続された前記発信回路の抵抗を切断することを特徴とする網終端装置。
【請求項３】
前記反転極性検出回路と二本の加入者線との間が電気的に接続されていないもしくは抵抗値が大きいことを特徴とする請求項１または２のいずれかに記載の網終端装置。
【発明の詳細な説明】
【０００１】
【発明の属する技術分野】
本発明は、ＩＳＤＮディジタル通信における加入者線路信号方式を用いた網終端装置に関する。
【０００２】
【従来の技術】
ＩＳＤＮディジタル通信方式において、加入者線路信号方式（ＴＴＣ  ＪＴ−Ｇ９６１「Digital Transmission System on Metallic Local Lines for ISDN  Basic Route Access」）では加入者線の直流電流の有無及びその極性により発信要求及び切断要求を行っている。
【０００３】
図６を参照して従来技術における網終端装置を説明する。図６において、符号１は、網終端装置であり、発信回路２、反転極性検出回路５、レイヤ１制御部７レイヤ２制御部８から構成される。この網終端装置１は、加入者線Ｌ１、Ｌ２によって回線終端装置１０が接続されている。
【０００４】
反転極性検出回路５は、加入者線Ｌ１及びＬ２の電圧極性が反転極性（Ｌ１＜Ｌ２）となったことを検出すると、レイヤ１制御部７に対してレイヤ１起動信号によってレイヤ１制御部７の起動を要求する。これによって、レイヤ１が起動する。一方、反転極性が検出されない場合、反転極性検出回路５は、レイヤ１制御部７に対して、レイヤ１起動信号によってレイヤ１制御部７の停止を要求する。これによって、レイヤ１が停止する。
【０００５】
次に発信時の動作を説明する。
まず、レイヤ２制御部８よりレイヤ１制御部７に対して発信要求があった場合、レイヤ１制御部７より発信回路２に対して、発信信号が出力されることによって発信要求が通知される。発信回路２はこの発信信号を受信すると、直流終端を閉じ、加入者線Ｌ１、Ｌ２に直流電流を流すことにより、回線終端装置１０に対して発信要求があることを通知する。
【０００６】
回線終端装置１０は加入者線Ｌ１、Ｌ２に直流電流が流れたことを検出すると、加入者線Ｌ１、Ｌ２の電圧極性を反転極性（Ｌ１＜Ｌ２）にする。このとき網終端装置１は反転極性検出回路５を通じて加入者線Ｌ１、Ｌ２に直流電流を流し続ける。
【０００７】
発信時において回線終端装置１０は加入者線Ｌ１、Ｌ２に直流電流が流れている間、反転極性を保持し、レイヤ１を維持する。
【０００８】
図７は、図６に示す網終端装置１の発信時のタイムチャートである。図７に示すように発信時（図７の時刻ｔ１）においては網終端装置１はレイヤ１制御部７からの発信信号（図７（ｄ）参照）により加入者線Ｌ１、Ｌ２の直流終端を行うと、加入者線Ｌ１、Ｌ２に流れる電流値はＩ１からＩ２へ変化する（図７（ｃ）参照）。回線終端装置１０はこの電流値の変化を検出することによって、発信要求があったと判定し、加入者線Ｌ１、Ｌ２の極性を反転させる（図７（ａ）参照）。回線終端装置１０は、発信時において、加入者線Ｌ１、Ｌ２に電流Ｉ２が流れている間、反転極性を保持し（図７（ｃ）参照）、レイヤ１を維持する。
【０００９】
レイヤ１停止時（図７の時刻ｔ２）は、回線終端装置１０が加入者線Ｌ１、Ｌ２の極性を正極性（Ｌ１＞Ｌ２）とし（図７（ｃ）参照）、網終端装置１にレイヤ１停止を通知する。このとき網終端装置１においては反転極性が検出されないので反転極性検出回路５は、レイヤ１制御部７に対して、レイヤ１起動信号によってレイヤ１制御部７の停止を要求すると発信信号が「ＯＦＦ」となる（図７（ｄ）参照）。これによって、レイヤ１が停止する。
【００１０】
次に、着信時の動作を説明する。
着信時においては、回線終端装置１０が加入者線Ｌ１、Ｌ２の極性を反転させることによって、網終端装置１に着信を通知する。網終端装置１の反転極性検出回路５は反転極性を検出すると、レイヤ１制御部７にレイヤ１起動信号を送出して着信を通知する。これによって、レイヤ１が起動する。
【００１１】
着信時においては、回線終端装置１０は加入者線Ｌ１、Ｌ２の直流電流の有無に関係なく、反転極性を保持し、レイヤ１を維持する機能を有するが、網終端装置１は反転極性検出回路５を通じて加入者線Ｌ１、Ｌ２に直流電流を流し続ける。
【００１２】
図８は、図６に示す網終端装置１の着信時のタイムチャートである。
図８に示すように、着信時（図８の時刻ｔ１）網終端装置１は加入者線Ｌ１、Ｌ２の極性が反転した（図８（ｃ）参照）ことを検出し、これをレイヤ１制御部７へ通知する（図８（ｄ）参照）。
【００１３】
レイヤ１停止時（図８の時刻ｔ２）は、回線終端装置１０が加入者線Ｌ１、Ｌ２の極性を正極性（Ｌ１＞Ｌ２）とし（図８（ｃ）参照）、網終端装置１にレイヤ１停止を通知する。このとき網終端装置１においては、反転極性が検出されないため反転極性検出回路５は、レイヤ１制御部７に対して、レイヤ１起動信号（図８（ｄ）参照）によってレイヤ１制御部７の停止を要求する。これによって、レイヤ１が停止する。
【００１４】
【発明が解決しようとする課題】
しかしながら、図６に示す網終端装置１にあっては、加入者線Ｌ１、Ｌ２の直流電流が網終端装置１を動作させるための電力として使用されていない場合であっても、レイヤ２からの発信要求によってレイヤ１が起動中である場合、網終端装置１は、反転極性検出回路５を通じて回線終端装置１０に加入者線Ｌ１、Ｌ２に直流電流を流し続ける必要があるため、多くの電力を必要とするという問題がある。
【００１５】
本発明は、このような事情に鑑みてなされたもので、通信時の電力消費を抑えることができ、回線終端装置の電力も削減することができる網終端装置を提供することを目的とする。
【００１６】
【課題を解決するための手段】
請求項１に記載の発明は、回線終端装置に接続され、反転極性検出回路と、発信回路と、該反転極性検出回路及び該発信回路を制御するレイヤ１制御部及びレイヤ２制御部を備えた網終端装置において、加入者線路に流れる正極性の直流電流を検出する正極性電流検出回路と、反転極性の電流を流す直流終端抵抗と、前記直流終端抵抗の接続または切断を行う切替回路と、前記正極性電流検出回路の検出結果に基づき前記切替回路を制御する極性変動判定部とを備え、前記極性変動判定部は、判定結果に基づいて該直流終端抵抗を前記切替回路によって接続あるいは切断するとともに、該判定結果に基づいて、さらに前記正極性電流検出回路に直列接続された前記発信回路の抵抗を切断することを特徴とする。
【００１８】
請求項２に記載の発明は、回線終端装置に接続され、反転極性検出回路と、発信回路と、該反転極性検出回路及び該発信回路を制御するレイヤ１制御部及びレイヤ２制御部を備えた網終端装置において、加入者線路に流れる正極性の直流電流を検出する正極性電流検出回路と、反転極性の電流を流す直流終端抵抗と、前記直流終端抵抗の接続または切断を行う切替回路と、前記正極性電流検出回路の検出結果に基づき前記切替回路を制御する極性変動判定部と、加入者線路に流れる反転極性の直流電流を検出する反転極性電流検出回路とを備え、前記極性変動判定部は、前記反転極性電流検出回路の検出結果及び前記レイヤ２制御部からの発信要求信号に基づき前記正極性電流検出回路に直列接続された前記発信回路の抵抗を切断することを特徴とする。
【００１９】
請求項３に記載の発明は、前記反転極性検出回路と二本の加入者線との間が電気的に接続されていないもしくは抵抗値が大きいことを特徴とする。
【００２０】
【発明の実施の形態】
以下、本発明の一実施形態による網終端装置を図面を参照して説明する。図１は同実施形態の構成を示すブロック図である。この図において、符号１は網終端装置であり、発信回路２、正極性電流検出回路３、極性変動判定部４、反転極性検出回路５、切替部６、レイヤ１制御部７、レイヤ２制御部８により構成されている。符号１０は、回線終端装置であり、網終端装置１と加入者線Ｌ１、Ｌ２によって接続されている。
【００２１】
図１に示す発信回路２は、直流終端抵抗Ｒ１、発信スイッチＳＷ１によって構成される。また、正極性電流検出回路３は、フォトカプラＰＣ１、ダイオードＤ１によって構成される。また、反転極性検出回路５の直流入力抵抗値は無限大（オープン）となっている。また、切替部６は直流終端抵抗ＲＤ１、ダイオードＤ２、切替スイッチＳＷ２によって構成される。
【００２２】
ここでは、網終端装置１の初期状態として、発信回路２の発信スイッチＳＷ１は「ＯＦＦ」の状態、正極性電流検出回路３のフォトカプラＰＣ１の正極性電流検出信号は「ＯＦＦ」の状態、切替部６の切替スイッチＳＷ２は「ＯＦＦ」の状態であるものとして説明する。
【００２３】
次に、図２を参照して着信起動時の動作を説明する。図２は、図１に示す網終端装置１及び回線終端装置１０の動作を示すタイムチャートである。
【００２４】
回線終端装置１０は、着信起動時（図２の時刻ｔ１）において、加入者線Ｌ１、Ｌ２の極性を正極性（Ｌ１＞Ｌ２）から反転極性（Ｌ１＜Ｌ２）にする（図２（ｃ）参照）と、反転極性検出回路５は、レイヤ１起動信号を出力する（図２（ｈ）参照）。このとき網終端装置１の正極性電流検出回路３のフォトカプラＰＣ１の正極性電流検出信号は「ＯＦＦ」のままであるため、極性変動判定部４は発信起動ではないと判断し、切替部６の切替スイッチＳＷ２を「ＯＦＦ」のまま保持する。このとき反転極性検出回路５の直流入力抵抗値は無限大なので加入者線Ｌ１、Ｌ２には電流が流れない。
【００２５】
次に、発信起動時の動作を説明する。図３は図１に示す網終端装置１及び回線終端装置１０の動作を示すタイムチャートである。
【００２６】
まず、レイヤ２制御部８より発信要求信号がレイヤ１制御部７に通知されると（図３の時刻ｔ１）、レイヤ１制御部７からの発信信号が「ＯＮ」となる（図３（ｅ）参照）。これを受けて、発信スイッチＳＷ１が「ＯＮ」となり、加入者線Ｌ１、Ｌ２に直流終端抵抗Ｒ１を通じて電流Ｉ２が流れる（図３（ｂ）参照）。続いて、正極性電流検出回路３のフォトカプラＰＣ１の正極性電流検出信号は「ＯＮ」となり（図３（ｆ）参照）、回線終端装置１０はこの電流Ｉ２を検出する。そして、一定時間後（図３の時刻ｔ２）に回線終端装置１０は加入者線Ｌ１、Ｌ２の極性を正極性（Ｌ１＞Ｌ２）から反転極性（Ｌ１＜Ｌ２）とし（図３（ｃ）参照）、網終端装置１の正極性電流検出回路３のフォトカプラＰＣ１の正極性電流検出信号は「ＯＦＦ」となる（図３（ｆ）参照）。
【００２７】
このとき、直流終端抵抗ＲＤ１が切替スイッチＳＷ１により切り離されているため、加入者線Ｌ１、Ｌ２の間には電流が流れないため、回線終端装置１０は加入者線Ｌ１、Ｌ２に電流が流れなくなったことを検出し（図３の時刻ｔ３）、加入者線Ｌ１、Ｌ２の極性を反転極性（Ｌ１＜Ｌ２）から正極性（Ｌ１＞Ｌ２）とする（図３（ｃ）参照）。このとき、加入者線Ｌ１、Ｌ２に直流終端抵抗Ｒ１を通じて電流Ｉ２が流れるので（図３（ｂ）参照）、正極性電流検出回路３のフォトカプラＰＣ１の正極性電流検出信号は「ＯＮ」となり（図３（ｆ）参照）、極性変動判定部４は一定時間内に正極性電流検出回路３のフォトカプラＰＣ１の正極性電流検出信号が、まず「ＯＮ」となり、次に「ＯＦＦ」となり、さらに「ＯＮ」となったことを検出し、極性変動判定部４は切替部６の切替スイッチＳＷ２を「ＯＮ」にし（図３（ｇ）参照）、直流終端抵抗ＲＤ１を接続する。
【００２８】
このとき加入者線Ｌ１、Ｌ２の極性が正極性（Ｌ１＞Ｌ２）となっているため、加入者線Ｌ１、Ｌ２に直流終端抵抗Ｒ１を通じて電流Ｉ２が流れ、回線終端装置１０がその電流Ｉ２を検出し、一定時間後（図３の時刻ｔ４）、回線終端装置１０は加入者線極性を正極性（Ｌ１＞Ｌ２）から反転極性（Ｌ１＜Ｌ２）にし（図３（ｃ）参照）、加入者線Ｌ１、Ｌ２に直流終端抵抗ＲＤ１を通じて電流Ｉ２が流れる。このとき網終端装置１における正極性電流検出回路３のフォトカプラＰＣ１の正極性電流検出信号は「ＯＮ」から「ＯＦＦ」となり（図３（ｆ）参照）、一定時間「ＯＦＦ」状態が継続するとレイヤ１制御部７に発信受付として通知し通信状態に入る。
【００２９】
次に、切断する動作を説明する。
切断（図３の時刻ｔ５）は、回線終端装置１０が加入者線Ｌ１、Ｌ２の極性を正極性（Ｌ１＞Ｌ２）にする（図３（ｃ）参照）ことによって行われる。このとき、加入者線Ｌ１、Ｌ２に直流終端抵抗Ｒ１を通じて電流Ｉ２が流れるので（図３（ｂ）参照）、正極性電流検出回路３のフォトカプラＰＣ１の正極性電流検出信号は「ＯＮ」となり（図３（ｆ）参照）、極性変動判定部４は切断信号を出力することによって、回線切断情報をレイヤ１制御部４へ通知するとともに、切替部６の切替スイッチＳＷ２を「ＯＦＦ」にして（図３（ｇ）参照）、直流終端抵抗ＲＤ１を切り離す。レイヤ１制御部７は、発信信号を「ＯＦＦ」にして（図３（ｄ）参照）、発信スイッチＳＷ１を「ＯＦＦ」にすることによって、加入者線Ｌ１、Ｌ２に抵抗電流が流れない（図３（ｂ）参照）ようにする。この状態で、待機状態に入る。
【００３０】
このように、加入者線Ｌ１、Ｌ２の直流電流が網終端装置１を動作させる電力として使用されていない場合、反転極性回路の直流入力抵抗を大きくしても、発信及び着信が可能であり、着信時においては加入者線Ｌ１、Ｌ２に電流が流れないようにすることができるため、電力の削減が可能となる。また、発信時において、網終端装置１は回線終端装置１０より定電流給電を受けるが、直流終端抵抗ＲＤ１の抵抗値を小さくすることにより、網終端装置１における消費電力を削減することができる。
【００３１】
次に、他の実施形態を図４を参照して説明する。
図４は他の実施形態の構成を示すのブロック図である。図４に示す網終端装置１が図１に示す網終端装置１と異なる点は、反転極性電流検出回路９を新たに設けた点である。この反転極性電流検出回路９はフォトカプラＰＣ２により構成されている。
【００３２】
ここでは、図４に示す網終端装置１の初期状態として、発信回路２の発信スイッチＳＷ１は「ＯＦＦ」の状態、正極性電流検出回路３のフォトカプラＰＣ１の正極性電流検出信号は「ＯＦＦ」の状態、切替部６の切替スイッチＳＷ２は「ＯＦＦ」の状態であるものとして説明する。
【００３３】
図４に示す網終端装置１の着信起動時及び発信起動時の動作は図１に示す網終端装置１と同様であるため、説明を省略する。ここでは、着信時の切断動作について説明する。図５は図４に示す網終端装置１及び回線終端装置１０の動作を示すタイムチャートである。
【００３４】
切断は、通信終了を受けて、レイヤ２制御部８が発信要求信号を「ＯＦＦ」にすることにより発信切断信号をレイヤ１制御部７へ出力する。レイヤ１制御部７は、この発信切断信号により発信信号を「ＯＦＦ」にして（図５の時刻ｔ１における（ｆ）参照）、発信スイッチＳＷ１を「ＯＦＦ」にする。一定時間後（図５の時刻ｔ２）、回線終端装置１０が加入者線Ｌ１、Ｌ２の極性を正極性（Ｌ１＞Ｌ２）にする（図５（ｃ）参照）。このとき網終端装置１の反転極性電流検出回路９のフォトカプラＰＣ２の反転極性電流検出信号は「ＯＦＦ」となり（図５（ｄ）参照）、極性変動判定部４は回線切断情報としてレイヤ１制御部７に通知し、レイヤ１制御部７は切替部６の切替スイッチＳＷ２を「ＯＦＦ」にして（図５（ｈ）参照）、直流終端抵抗ＲＤ１を切り離し、待機状態に入る。
【００３５】
【発明の効果】
以上説明したように、この発明によれば、加入者線の直流電流が網終端装置を動作させる電力として使用されていない場合、反転極性検出回路の直流入力抵抗を大きくしても、発信及び着信が可能であり、着信時においては加入者線に電流が流れないようにすることができるため、消費電力を削減できるという効果が得られる。また、発信時において、網終端装置は回線終端装置より定電流給電を受けるが、直流終端抵抗の抵抗値を小さくすることにより、網終端装置における消費電力を削減することができるという効果も得られる。
【図面の簡単な説明】
【図１】本発明の一実施形態の構成を示すブロック図である。
【図２】図１に示す網終端装置１及び回線終端装置１０の動作を示すタイミングチャートである。
【図３】図１に示す網終端装置１及び回線終端装置１０の動作を示すタイミングチャートである。
【図４】本発明の他の実施形態の構成を示すブロック図である。
【図５】図４に示す網終端装置１及び回線終端装置１０の動作を示すタイミングチャートである。
【図６】従来技術による網終端装置１の構成を示すブロック図である。
【図７】図６に示す網終端装置１及び回線終端装置１０の動作を示すタイミングチャートである。
【図８】図６に示す網終端装置１及び回線終端装置１０の動作を示すタイミングチャートである。
【符号の説明】
１・・・網終端装置、
２・・・発信回路、
３・・・正極性電流検出回路、
４・・・極性変動判定部、
５・・・反転極性検出回路、
６・・・切替部、
７・・・レイヤ１制御部、
８・・・レイヤ２制御部、
９・・・反転極性電流検出回路、
１０・・・回線終端装置。
【図１】
0003701501.tif 000002
【図２】
0003701501.tif 000003
【図３】
0003701501.tif 000004
【図４】
0003701501.tif 000005
【図５】
0003701501.tif 000006
【図６】
0003701501.tif 000007
【図７】
0003701501.tif 000008
【図８】
0003701501.tif 000009